(57)【要約】【課題】  洗濯物がドラムの内部のある一側に偏心して積載されるとしても、前記洗濯物によって発生する偏心力を相互補完的に解消させることができるドラム洗濯機及びドラムを提供する。【解決手段】  本発明のドラム洗濯機のドラムは、内部が中空からなり、軸中心を基準として回転するドラムと、ドラムの前・後方にそれぞれ設けられ、前記ドラムで発生する偏心力を相互補完的にバランスする前・後方バランサと、を備える。また、本発明のドラム洗濯機は、内部が中空からなり、軸中心を基準として回転するドラムと、前記ドラムの前・後方にそれぞれ設けられ、前記ドラムに遠心力を提供して前記ドラムで発生する偏心力を相互補完的にバランスする前・後方バランサと、を備える。【選択図】      図２
2005349208.tif 000002
【特許請求の範囲】
【請求項１】
内部が中空からなるドラムボディと、
前記ドラムボディの前方と後方にそれぞれ設けられた前・後方バランサと、を備えることを特徴とするドラム洗濯機のドラム。
【請求項２】
前記ドラム洗濯機のドラムが、開口部が形成され、前記ドラムボディの前方に組み立てられるドラムフロントと、前記ドラムボディの後方に組み立てられるドラムバックとを有し、
前記前方バランサが前記ドラムフロントに組み立てられ、前記後方バランサが前記ドラムバックに組み立てられることを特徴とする請求項１に記載のドラム洗濯機のドラム。
【請求項３】
前記ドラムバックの後面にはハブが設けられ、前記後方バランサが前記ハブに固定されることを特徴とする請求項２に記載のドラム洗濯機のドラム。
【請求項４】
前記ドラムバックの後面にはハブが設けられ、前記後方バランサが前記ハブの外周に設けられることを特徴とする請求項２に記載のドラム洗濯機のドラム。
【請求項５】
前記前・後方バランサのうち少なくとも１つが、液体バランサであることを特徴とする請求項１に記載のドラム洗濯機のドラム。
【請求項６】
内部が中空からなり、軸中心を基準として回転するドラムと、
前記ドラムの前・後方にそれぞれ設けられ、前記ドラムに遠心力を提供して前記ドラムで発生する偏心力を相互補完的にバランスする前・後方バランサと、を備えることを特徴とするドラム洗濯機。
【請求項７】
前記ドラム洗濯機のドラムが、ドラムボディと、開口部を形成して前記ドラムボディの前方に組み立てられるドラムフロントと、前記ドラムボディの後方に組み立てられるドラムバックと、を備え、
前記前方バランサが前記ドラムフロントに、前記後方バランサが前記ドラムバックに組み立てられることを特徴とする請求項６に記載のドラム洗濯機。
【請求項８】
前記前・後方バランサのうち少なくとも１つが、液体バランサであることを特徴とする請求項６に記載のドラム洗濯機。
【請求項９】
外形をなすキャビネットアセンブリと、
前記キャビネットアセンブリの内部に直接連設されるタブと、
前記タブの内部に設けられて回転するドラムと、を備え、
前記ドラムが、内部が中空からなるドラムボディと、
開口部を形成して前記ドラムボディの前方に組み立てられるドラムフロントと、
前記ドラムボディの後方に組み立てられるドラムバックと、
前記ドラムボディの前方と後方にそれぞれ設けられて、前記ドラムボディの回転時、前記ドラムボディで発生する偏心力を相互補完的に補正する前・後方バランサと、を有することを特徴とするドラム洗濯機。
【請求項１０】
前記前方バランサが前記ドラムフロントに組み立てられ、前記後方バランサが前記ドラムバックに組み立てられることを特徴とする請求項９に記載のドラム洗濯機。
【発明の詳細な説明】
【技術分野】
【０００１】
本発明は、ドラム洗濯機に関し、より詳細には、ドラムの前面と後面にバランサを設置して、洗濯物によって発生する偏心力を前記前面と後面に設けられたバランサによって相互補完的に相殺させるドラム洗濯機に関する。
【背景技術】
【０００２】
図１は、従来の技術によるドラム洗濯機の内部構造を示す断面図である。
図１に示すように、従来の技術によるドラム洗濯機は、ベース１０１及びドア１０２を含んで形成されるキャビネットアセンブリ１１０と、前記キャビネットアセンブリ１１０の内部に設けられたタブ１２０と、前記タブ１２０の内側に回転可能に設けられたドラム１３０と、前記ドラム１３０を回転させるモータ１４０と、前記タブ１２０に伝達される振動が前記キャビネットアセンブリ１１０側に伝達されることを緩衝させるバネ１５０及びダンパー１６０と、前記ドラム１３０で発生する振動を減衰させるバランサ１７０と、を備えている。
【０００３】
前記ドラム１３０には、前記タブ1２０の内部に貯蔵される洗濯水がドラム１３０の内部へ流入するように複数の孔１０４が形成され、リフト１０３がドラム１３０の内側面に設けられ、前記ドラム１３０とともに回転する前記リフト１０３によって、前記ドラム１３０の内部に収納された洗濯物ｍが、前記洗濯水とともに上昇する。
【０００４】
また、前記タブ１２０は、前記キャビネットアセンブリ１１０の内側面と所定の間隔だけ離隔されて設置されるが、前記タブ１２０の上端部はバネ１５０で連結され、前記ダンパー１６０は、タブ１２０の下側部及びベース１０１にヒンジ連結され、前記バネ１５０及びダンパー１６０は、前記タブ１２０から前記キャビネットアセンブリ１１０に伝達される振動を減衰させる。
【０００５】
また、前記キャビネットアセンブリ１１０のドア１０２は、洗濯物ｍが投入されるように前面１０５に回動可能に設けられ、前記タブ１２０及びドラム１３０の前面１２５、１３５には、ドア１０２によって開放される孔１０６と連通してそれぞれの開口部１２６、１３６が形成されている。
【０００６】
また、前記ドア１０２が形成されたキャビネットアセンブリ１１０の前面１０５と、前記タブ１２０の前面１２５との間には、洗濯水の流出を防止するガスケット１８０が設けられ、前記ガスケット１８０は、前記キャビネットアセンブリ１１０の内側面とタブ１２０の前面１２５とによって形成される空間を密閉させる。
【０００７】
また、前記モータ１４０は、前記タブ１２０の後面に設けられ、前記タブ１２０の内側に設けられたドラム１３０を回転させる。
また、前記ドラム１３０には、回転するドラム１３０をバランスするために、所定の重量を有するバランサ１７０が設けられ、所定の重量で形成された前記バランサ１７０は、脱水時、高速で回転するドラム１３０に遠心力を提供して前記ドラム１３０が振動することを抑制させる。
【０００８】
さらに、前記バランサ１７０は、ドラム１３０の先端に設けられるボールバランサであって、前記バランサ１７０は、前記ドラム１３０に固定されるハウジング１７２と、前記ハウジング１７２の内部に移動可能に挿入されたボール１７４とを備えている。
前記バランサ１７０は、洗濯物ｍがドラム１３０の内部の一側に偏った状態で回転される場合、前記洗濯物ｍによって発生する偏心を補正するためのものであって、前記ボール１７４が偏心した洗濯物ｍの反対側へ移動されて回転することによって、前記洗濯物ｍによる偏心を補正する。
【０００９】
ところが、偏心した洗濯物ｍは、バランサ１７０が設けられるドア１０２側に積載される場合は、前記バランサ１７０による遠心力の方向と前記洗濯物による前・後方の位置の差が少ないので、前記バランサ１７０によるバランスが円滑に取れるが、洗濯物ｍが図１に図示するように、前記モータ１４０側に位置する場合には、前記バランサ１７０で発生する遠心力の方向と前記洗濯物ｍが発生させる偏心力の前後方向の位置の差が大きいため、効果的なバランスが取れないという問題があった。
【００１０】
具体的には、洗濯物ｍが前記ドラム１３０のモータ１４０側に積載される場合、前記洗濯物ｍと前記ドラム１３０のバランサ１７０とは、互いに対角線上に位置されてバランス作用を行うが、前記洗濯物ｍによって発生する偏心力の方向ｆ１と前記バランサ１７０による遠心力の方向ｆ２がドラム洗濯機の前後方向を基準として、互いに異なる位置で作用するため、前記バランサ１７０によるバランスを期待できないという問題があった。
【００１１】
さらに、上述のように洗濯物ｍとバランサ１７０が対角線上に位置する場合、前記バランサ１７０と洗濯物ｍとによってドラム１３０で発生する振動が増加するという問題があった。
【発明の開示】
【発明が解決しようとする課題】
【００１２】
本発明は、上述の問題点に鑑みてなされたもので、その目的は、ドラムの回転時に、洗濯物によって発生する偏心力を効果的に抑制するドラム洗濯機及びドラム洗濯機のドラムを提供することにある。
【課題を解決するための手段】
【００１３】
上記目的を達成すべく、本発明の一側面によれば、内部が中空からなるドラムボディと、開口部を形成して前記ドラムボディの前方に組み立てられるドラムフロントと、前記ドラムボディの後方に組み立てられるドラムバックと、前記ドラムバックの後面に設けられるハブと、前記ドラムボディの前方と後方にそれぞれ設けられて、前記ドラムボディの回転時、前記ドラムボディで発生する偏心力を相互補完的に補正する前・後方バランサと、を備えることを特徴とするドラム洗濯機のドラムが提供される。
【００１４】
また、前記前方バランサは前記ドラムフロントに組み立てられ、前記後方バランサは前記ドラムバックに組み立てられることを特徴とする。
【００１５】
また、前記後方バランサは、前記ハブに固定されている。
他の例として、前記後方バランサは、前記ハブの外周に設けられることを特徴とする。
【００１６】
さらに、前記前・後方バランサのうち少なくとも１つは、液体バランサである。
また、本発明の他の側面によれば、内部が中空からなり、軸中心を基準として回転するドラムと、前記ドラムの前・後方にそれぞれ設けられ、前記ドラムに遠心力を提供して前記ドラムで発生する偏心力を相互補完的にバランスする前・後方バランサと、を備えることを特徴とするドラム洗濯機が提供される。
【００１７】
また、前記ドラムは、ドラムボディと、開口部を形成して前記ドラムボディの前方に組み立てられるドラムフロントと、前記ドラムボディの後方に組み立てられるドラムバックとを有し、前記前方バランサは前記ドラムフロントに、前記後方バランサは前記ドラムバックに組み立てられる。
また、前記前・後方バランサのうち少なくとも１つは、液体バランサである。
【００１８】
また、本発明のさらに他の側面によれば、外形をなすキャビネットアセンブリと、前記キャビネットアセンブリの内部に直接連設されるタブと、前記タブの内部に設けられて回転するドラムと、を備え、前記ドラムは、内部が中空からなるドラムボディと、開口部を形成して前記ドラムボディの前方に組み立てられるドラムフロントと、前記ドラムボディの後方に組み立てられるドラムバックと、前記ドラムボディの前方と後方にそれぞれ設けられて、前記ドラムボディの回転時、前記ドラムボディで発生する偏心力を相互補完的に補正する前・後方バランサと、を有することを特徴とするドラム洗濯機が提供される。
【００１９】
また、前記前方バランサは前記ドラムフロントに組み立てられ、前記後方バランサは前記ドラムバックに組み立てられることを特徴とする。
これによって、本発明によるドラム洗濯機は、ドラムの前・後方にそれぞれバランサが設けられるので、洗濯物がドラムの内部のある一側に偏心して積載されるとしても、前記洗濯物によって発生する偏心力を相互補完的に解消させることができる。
【発明の効果】
【００２０】
本発明によれば、ドラムの前・後方にそれぞれバランサが設けられるので、洗濯物がドラムの内部のある一側に偏心して積載されるとしても、前記洗濯物によって発生する偏心力を相互補完的に解消させることができる。
【００２１】
また、バランサがドラムの前・後方にそれぞれ設けられるので、ドラムの内部に積載された洗濯物によって発生する偏心力をより能率的に解消させることができる。
また、偏心した洗濯物によって発生する偏心力が解消されるので、ドラムの回転時に発生する振動を低減することができる。
【発明を実施するための最良の形態】
【００２２】
以下、本発明の好ましい実施形態を、添付図面に基づき詳細に説明する。
本発明によるドラム洗濯機の実施形態は、様々なものが存在することができ、以下では、最も好ましい実施形態について説明する。但し、ドラム洗濯機をなす基本的な構造は、上述した従来の技術と同一であるので、詳細な説明は省略する。
【００２３】
図２は、本発明の第１の実施形態による洗濯機の内部構造を示す断面図であり、図３は、本発明の第１の実施形態による振動体を示す分解斜視図であり、図４は、本発明の第１の実施形態によるドラムを示す分解斜視図であり、図５は、本発明の第１の実施形態によるドラムを示す断面斜視図である。
【００２４】
図２に示すように、本発明によるドラム洗濯機は、外形をなすキャビネットアセンブリ１０と、前記キャビネットアセンブリ１０の内部に支持されて設置されるタブと、前記タブ２０の内部に回転可能に設置されるドラム３０と、前記タブ２０の後面に設けられて前記ドラム３０を回転させるモータ４０と、前記タブ２０の内部を密閉するとともに、前記ドラム３０からタブ２０に伝達する振動を遮断する後面ガスケット５０と、前記タブ２０の後方に連結され、前記タブ２０から前記キャビネットアセンブリ１０に伝達される振動または衝撃を減衰させるサスペンション６０と、を備えている。
【００２５】
前記キャビネットアセンブリ１０は、ドラム洗濯機の両側面及び後面をなすキャビネット１８と、前記キャビネット１８の前方に設けられるキャビネットカバー１１と、前記キャビネット１８の上部に設けられるトップカバー１４と、前記キャビネット１８の下部に設けられるベース１６と、を備えている。
【００２６】
また、前記キャビネットカバー１１には孔１９が形成され、前記孔１９を開閉させるドア１２が設けられ、前記ベース１６と前記タブ２０との間には前記サスペンション６０が設けられている。
【００２７】
図２または図３に示すように、前記タブ２０は、前記キャビネットカバー１１の内部に設けられ、前記孔１９と連通して前記キャビネットカバー１１の内側面に固定されるタブ本体２２と、内側中央に開口部２３が設けられ、前記タブ本体２２の後面に結合されるタブカバー２４と、前記タブカバー２４の開口部を閉鎖するタブブラケット２６と、前記タブブラケット２６の後面に組み立てられてモータ軸４２を支持するベアリングハウジング２８と、を備えている。
【００２８】
ここで、前記タブ本体２２は、前記キャビネットカバー１１の孔１９と、前記タブ本体２２の開口部２１とを連通するように一致させた後、スクリュー２５によって締め付けられて前記キャビネットカバー１１に固定される。
【００２９】
また、前記タブカバー２４は、前記タブ本体２２の後方に組み立てられているが、このとき、前記タブ本体２２及びタブカバー２４の外周上に設けられた締付孔２２ａ、２４ａにスクリュー２５ａが締め付けられることにより組み立てられる。
【００３０】
また、前記タブカバー２４の開口部２３は、前記タブブラケット２６と後面ガスケット５０によって密閉され、前記ベアリングハウジング２８は、スクリュー２５ａによって前記タブブラケット２６の後面に組み立てられる。ここで、前記ベアリングハウジング２８には、前記モータ軸４２が円滑に回転するようにベアリング２９が設けられ、このベアリング２９によって前記モータ軸４２が支持されて回転される。
【００３１】
また、図面符号２２ｂは、前記タブ本体２２を固定させるための部材であって、前記キャビネット１８の内側面に結合されて固定される。
【００３２】
前記後面ガスケット５０は、洗濯水が前記タブ２０の外部へ流出することを防止する機能に加えて、洗濯または脱水時、前記タブブラケット２６から前記タブ本体２２に伝達される振動または衝撃を吸収する付加機能を有するので、収縮または弛緩が可能な弾性材質で形成される。これによって、前記後面ガスケット５０は、前記タブブラケット２６の外周に沿って形成されて前記開口部２３をシールしている。
【００３３】
前記モータ４０は、前記ベアリングハウジング２８の後面に組み立てられ、モータ軸４２は、前記ベアリングハウジング２８とタブブラケット２６を貫通して前記ドラム３０の後面に固定される。
【００３４】
前記ドラム３０は、前記モータ軸４２によって回転され、前記ドラム３０には、脱水時に回転する前記ドラム３０の振動を抑制する前・後方の液体バランサ８０、８５が設けられている。
【００３５】
前記サスペンション６０は、タブ２０とベース１６との間に設けられ、前記サスペンション６０を設置するために、前記ベアリングハウジング２８と前記ベース１６にはそれぞれダンパーブラケット６１、６２が設けられ、このダンパーブラケット６１、６２の間にダンパー７０が設けられる。
【００３６】
前記ダンパー７０は、垂直方向の振動または衝撃を減衰させるために垂直方向に設置されるか、または水平方向の分力または傾斜した方向へ加えられる振動または衝撃を減衰させるために傾斜して設置される。
【００３７】
図４または図５に示した前記ドラム３０は、円筒状のドラムボディ３２と、前記ドラムボディ３２の前方に設けられるドラムフロント３４と、前記ドラムボディ３２の後方に設けられるドラムバック３６と、前記ドラムバック３６の後面に固定されるハブ３８と、前記ドラムフロント３２の前面と前記ドラムバック３６の後面にそれぞれ設けられる前・後方バランサ８０、８５と、を備えている。
【００３８】
前記ドラムボディ３２は、前・後方が開放された円筒状に形成され、前記円筒状のドラムボディ３２には、洗濯水を疎通させるための複数の通孔３２ｂが形成され、前記ドラムボディ３２の内側面にリフト３１が設けられている。
【００３９】
前記ドラムフロント３４は、環状に形成され、前記ドラムボディ３２にボルト（図示せず）で締め付けられ、前記ドラムボディ３２に洗濯物を収容するために、内側中央に開口部３４ａが形成され、前記前方バランサ８０が固定されるように安着面３４ｂが形成されている。
【００４０】
前記ドラムバック３６は、前記ドラムボディ３２の後面にボルト３５ａで締め付けられ、前記ドラムバック３６の後面には前記ハブ３８がボルト３５ａで締め付けられ、前記ドラムバック３６には、前記ドラムボディ３２の通孔３２ｂと同一の機能を有する複数の通孔３６ｂが設けられている。
【００４１】
この実施形態では、前記ハブ３８が別途の部材に製作され組み立てられているが、前記ハブ３８は、前記ドラムバック３６と一体で製作されてもよい。
【００４２】
前記ハブ３８の外径は、前記ドラムボディ３２及びドラムバック３６の外径よりも所定の大きさだけ小さく形成され、前記ハブ３８の厚さは、後方バランサ８５の厚さと同じか少し小さく形成されて、前記ドラムバック３６にボルト３５ａで締め付けられ、前記ハブ３８の中央には前記モータ軸４２が固定される。
【００４３】
また、前記ハブ３８の周縁には、ドラムバック３６と組み立てられるための締付孔３８ａが形成されている。
ここで、前記後方バランサ８５は、前記ハブ３８の外周縁に設けられ、前記ハブ３８とボルト３５ａで固定され、前記後方バランサ８５の外径は、前記ドラムボディ３２と同じ外径に形成することが好ましい。
【００４４】
また、前記後方バランサ８５は、前記ハブ３８に固定されず、前記ドラムバック３６に直接固定されていてもよい。
前記前・後方バランサ８０、８５は、それぞれ内部に流体が充填される液体バランサであって、中央に開口部８２ａが形成された環状のハウジング８２と、このハウジング８２の内部に充填する流体８４とを備えている。
【００４５】
前記ハウジング８２は、図５に示すように、流体８４が外部へ流出しないように密封されて形成され、前記ハウジング８２の内部には中空８２ｂが形成され、この中空８２ｂには隔壁８２ｃが形成されている。
【００４６】
前記隔壁８２ｃは、前記ハウジング８２の内部に形成されるが、このとき、前記流体が前記中空８２ｂの内部を移動可能に、前記中空８２ｂを区画してはおらず、前記隔壁８２ｃの端部は、前記ハウジング８２の内壁と所定の間隔だけ離隔されて形成されている。
また、前記流体８４としては、使用条件に応じて様々なものが用いられてもよいが、この実施形態では塩水が用いられている。
【００４７】
図６は、本発明の第２の実施形態によるドラムを示す分解斜視図である。
この第２の実施形態は、図６に示すように、ハブ３９がドラムボディ３２と同じ直径に形成されて前記ドラムボディ３２の後方に組み立てられ、後方バランサ８５が前記ハブ３９の外側面に締付固定されることを除いては、前記第１の実施形態のものと同一の構造を有している。
【００４８】
第２の実施形態のその他の構成は、前記第１の実施形態と同一であるので、詳細な説明を省略する。
以下、本発明のドラムに設けられたバランサの作動過程について、図４または図５を参照してより詳しく説明する。
【００４９】
先ず、ドラム３０の内部には洗濯物９０、９５が積載され、前記ドラム３０は前記モータによって回転される。
ここで、図示した洗濯物９０、９５は、説明のためにドラム３０の前方及び後方に積載されているものとして説明する。
前記ドラム３０は、図５に示すように、前記モータ軸４２によって支持されて回転されるので、前記ドラム３０の下側に洗濯物９０、９５が積載される場合、前記ドラム３０には前記洗濯物９０、９５による偏心力が発生する。
【００５０】
また、前記ドラム３０が高速で回転する場合、前記偏心力は所定の遠心力を発生させながら増加し、前記偏心力は前記ドラム３０の回転時に振動を増加させる要因となる。
このとき、前記ドラム３０の前方及び後方に設けられた各バランサ８０、８５は、前記洗濯物９０、９５の位置によって相互補完的に偏心力を抑制させている。
【００５１】
具体的には、洗濯物９０がドラム３０の前方に位置する場合、前記前方に位置された洗濯物９０によって発生した偏心力は、前記各バランサ８０、８５に全て影響を及ぼすことになるが、前記洗濯物９０によって発生した偏心力は、より近くに設置された前記前方バランサ８０によって大部分が解消され、前記後方に設置されたベランサ８５は、前記洗濯物９０に対する偏心力の解消は前記前方バランサ８０に比べて少ない。
【００５２】
ここで、前記前方バランサ８０に充填された流体８４は、前記洗濯物９０によって発生した偏心力を解消するために、前記洗濯物９０の反対側、即ち、図面においてドラム３０の上側へ移動され、前記洗濯物９０と反対方向に位置した状態で回転されて、前記洗濯物９０による偏心力を解消させる。
【００５３】
また、前記後方バランサ８５の流体８４も、前記前方の洗濯物９０に対する偏心力を解消させるために、前記洗濯物９０の反対側、即ち、図面においてドラム３０の上側へ移動されて回転されるが、前記洗濯物９０は、ドラム３０の後方から相当の距離離れており、ドラム３０の後方は、前方よりも相対的に小さい偏心力が作用するため、後方バランス８５の流体８４は、前方バランス８０に比べて流体８４が洗濯物９０の反対側に集中しないようになって、前記前面側の流体に比べて小さい大きさの偏心力を解消させる。
【００５４】
次に、前記ドラム３０の後方に積載された洗濯物９５は、上述したものとは反対に、前記洗濯物９５に近い側に設けられた後方バランサ８５によって大部分の偏心力が解消され、前記前方バランサ８０は、前記後方バランサ８５に比べて小さい大きさの偏心力を解消させる。
【００５５】
このように前記ドラム３０の前・後方にそれぞれ設けられたバランサ８０、８５は、１つの洗濯物９０に対してそれぞれ異なる大きさのバランスを行うので、洗濯物９０の近くに設置されたバランサ８０がより大きい大きさの偏心力を解消させ、遠くに設置されたバランサ８５が前記バランサ８０よりも小さい大きさの偏心力を解消させて、相互補完的に作動する。
【００５６】
これによって、本発明のドラム３０に設けられたバランサ８０、８５は、洗濯物９０、９５がどの位置に積載されても、前記各バランサ８０、８５が相互補完的に偏心力を解消させることができる。
【図面の簡単な説明】
【００５７】
【図１】従来の技術によるドラム洗濯機の内部構造を示す断面図である。
【図２】本発明の第１の実施形態による洗濯機の内部構造を示す断面図である。
【図３】本発明の第１の実施形態による振動体を示す分解斜視図である。
【図４】本発明の第１の実施形態によるドラムを示す分解斜視図である。
【図５】本発明の第１の実施形態によるドラムを示す断面斜視図である。
【図６】本発明の第２の実施形態によるドラムを示す分解斜視図である。
【符号の説明】
【００５８】
１０    キャビネットアセンブリ
１１    キャビネットカバー
１２    ドア
１４    トップカバー
１６    ベース
１８    キャビネット
１９    孔
２０    タブ
２１    タブ本体の開口部
２２ａ、２４ａ    締付孔
２３    タブカバーの開口部
２４    タブカバー
２５    スクリュー
２６    タブブラケット
２８    ベアリングハウジング
３０    ドラム
３１    リフト
３２    ドラムボディ
３２ｂ    通孔
３４    ドラムフロント
３４ａ    開口部
３４ｂ    安着面
３６    ドラムバック
３６ｂ    通孔
３８    ハブ
３８ｃ    タップ
３９    ハブ
４０    モータ
４２    モータ軸
５０    後面ガスケット
６０    サスペンション
６１    モータ側ダンパーブラケット
６２    ベース側ダンパーブラケット
７０    ダンパー
８０    前方バランサ
８５    後方バランサ
９０    前方の洗濯物
９５    後方の洗濯物
【図１】
2005349208.tif 000003
【図２】
2005349208.tif 000004
【図３】
2005349208.tif 000005
【図４】
2005349208.tif 000006
【図５】
2005349208.tif 000007
【図６】
2005349208.tif 000008